(57)【要約】      （修正有）【課題】ハンドヘルド型モバイル端末の固定装置を提供する。【解決手段】ハンドヘルド型モバイル端末の固定装置は、延伸棒１の一端に外部のモバイル端末９を嵌持して位置決めするために用いる位置決めフレーム２が設置され、延伸棒１の他端に外部物品を挟持して延伸棒１と位置決めフレーム２を固定するための固定部材３が設置され、固定部材３と外部物品間が螺合固定ユニット６により締め付けられ、モバイル端末９を懸持することができ、これにより固定装置を便利に携帯し、特に公共交通機関内などの周辺にポールがある場所に簡単かつ迅速に取り付けたり、取り外したりすることができる。【選択図】図１
0003180900.tif 000002
【実用新案登録請求の範囲】
【請求項１】
ハンドヘルド型モバイル端末の固定装置であって、
延伸棒と、
前記延伸棒の一端に設置され、外部のモバイル端末を嵌持して位置決めするために用いる位置決めフレームと、
前記延伸棒の他端に設置され、平面または棒体を含む外部物品上に前記延伸棒と前記位置決めフレームを固定して前記モバイル端末を懸持するために用いる固定部材と、
前記固定部材上に設置され、固定部材と外部物品を締め付けるために用いられる螺合固定ユニットと、を含み、
前記延伸棒が垂直または水平方向に剛性を備え、前記固定部材が水平または垂直の平面または棒体を挟み込み、使用者が前記モバイル端末をタッチ制御できるようにし、前記モバイル端末が使用者によってタッチされるとき、前記螺合固定ユニットにより前記外部物品上に強制的に位置決めされ、ぐらつきやずれが生じないように前記モバイル端末が保持されることを特徴とする、
ハンドヘルド型モバイル端末の固定装置。
【請求項２】
前記位置決めフレームが第２連結部を備え、前記延伸棒が一端に前記位置決めフレームの第２連結部と結合可能な第２接続部を備えたことを特徴とする、請求項１に記載のハンドヘルド型モバイル端末の固定装置。
【請求項３】
前記固定部材が第１連結部を備え、前記延伸棒が他端に前記固定部材の第１連結部と結合可能な第１接続部を備えたことを特徴とする、請求項１に記載のハンドヘルド型モバイル端末の固定装置。
【請求項４】
前記固定部材が一端に接合部材と、該接合部材に対して取り付け及び取り外しができ、かつ外部物品上に位置決め可能な接合座体を備え、前記固定部材が前記接合部材を介して外部物品上の接合座体に組み込まれ、前記螺合固定ユニットが前記接合部材と前記接合座体間に螺合されるボルトを含み、前記接合部材が他端に第１連結部を備え、前記延伸棒が他端に前記接合部材の第１連結部と結合可能な第１接続部を備えたことを特徴とする、請求項１に記載のハンドヘルド型モバイル端末の固定装置。
【請求項５】
前記固定部材が外部物品上に設けられ、かつ前記固定部材が第１連結部を備え、前記延伸棒が他端に前記固定部材の第１連結部と結合可能な第１接続部を備え、前記螺合固定ユニットが前記第１連結部であり、かつ前記第１連結部がネジ孔であることを特徴とする、請求項１に記載のハンドヘルド型モバイル端末の固定装置。
【請求項６】
ハンドヘルド型モバイル端末の固定装置であって、
外部のモバイル端末を嵌持して位置決めするために用いる位置決めフレームと、
前記位置決めフレーム上に設置され、平面または棒体を含む外部物品上に前記位置決めフレームを固定して前記モバイル端末を懸持するために用いる固定部材と、
前記固定部材上に設置され、固定部材と外部物品を締め付けるために用いられる螺合固定ユニットと、を含み、
前記固定部材が水平または垂直の平面または棒体を挟み込み、使用者が前記モバイル端末をタッチ制御できるようにし、前記モバイル端末が使用者によってタッチされるとき、前記螺合固定ユニットにより前記外部物品上に強制的に位置決めされ、ぐらつきやずれが生じないように前記モバイル端末が保持されることを特徴とする、
ハンドヘルド型モバイル端末の固定装置。
【請求項７】
前記固定部材が第１連結部を備え、前記位置決めフレームが前記固定部材の第１連結部に結合可能な第２連結部を備えたことを特徴とする、請求項６に記載のハンドヘルド型モバイル端末の固定装置。
【請求項８】
前記固定部材が少なくとも１つの可動はさみ部を備えたことを特徴とする、請求項１または６のいずれか一項に記載のハンドヘルド型モバイル端末の固定装置。
【請求項９】
前記固定部材が２つの相互に対称なはさみ部を備え、前記螺合固定ユニットが、前記はさみ部間に螺合されるボルトを含み、前記ボルトで片側からはさみ部の間の開き具合を調整し、外部物品を挟持したり、解放したりすることができ、かつ前記ボルトの一端に該ボルトを回動させるために利用する調整ヘッドが設置され、前記螺合固定ユニットが前記はさみ部上にそれぞれ枢着された回転軸を含み、各回転軸上にネジ孔が設けられ、前記ボルトが前記はさみ部の回転軸のネジ孔間に螺合されることを特徴とする、請求項８に記載のハンドヘルド型モバイル端末の固定装置。
【請求項１０】
前記固定部材が２つの相互に対称なはさみ部を備え、前記固定部材が前記はさみ部外囲まで延伸されたカバーを備え、前記螺合固定ユニットが各はさみ部と相隣するカバー間にそれぞれ螺着されるボルトを含み、前記２本のボルトを利用して両側から前記はさみ部間の開き具合を調整し、外部物品を挟持したり、解放したりすることができ、かつ前記ボルトが一端にボルトを回動させるために利用する調整ヘッドを備え、前記螺合固定ユニットが前記はさみ部上にそれぞれ枢設された回転軸を含み、各回転軸上にネジ孔がそれぞれ設けられ、前記カバー上にそれぞれ前記回転軸に近接した２つのネジ孔が設けられ、前記各はさみ部の回転軸のネジ孔と、相隣するカバーのネジ孔間にそれぞれ前記ボルトが螺着されたことを特徴とする、請求項８に記載のハンドヘルド型モバイル端末の固定装置。
【請求項１１】
前記固定部材が少なくとも２つの相互に対称なはさみ部を含み、前記螺合固定ユニットが、前記固定部材上に設置された前記はさみ部の間の開き具合を駆動して調整できる駆動装置を含むことを特徴とする、請求項８に記載のハンドヘルド型モバイル端末の固定装置。
【請求項１２】
前記はさみ部上が、前記はさみ部と外部物品間の緊密度と摩擦力を増加するために用いる緩衝パッドで被覆されたことを特徴とする、請求項８に記載のハンドヘルド型モバイル端末の固定装置。
【請求項１３】
前記はさみ部上にリリース装置が設置され、前記リリース装置が前記固定部材上に枢着されたベース部と、前記ベース部上の前記固定部材から離れた位置に枢着された爪部を含み、前記ベース部と爪部が相対する接合面上にそれぞれ位置決め孔が設けられ、前記位置決め孔間に位置決め棒が穿設され、前記ベース部と爪部を結合して固定したことを特徴とする、請求項８に記載のハンドヘルド型モバイル端末の固定装置。
【請求項１４】
前記延伸棒が多段式の伸縮機能を備え、延伸棒の使用時の全体長さを増加可能としたことを特徴とする、請求項１に記載のハンドヘルド型モバイル端末の固定装置。
【請求項１５】
前記延伸棒は複数であり、各延伸棒間が角度調整可能な可動ジョイントで相互に連結され、前記延伸棒を相互に折り畳み可能として、多段式の展開機能を具備させ、延伸棒の使用時の全体長さを増加可能としたことを特徴とする、請求項１に記載のハンドヘルド型モバイル端末の固定装置。
【請求項１６】
前記位置決めフレームが幅の大きさを調整できる伸縮カバー体であり、前記カバー体がベース座体と、前記ベース座体周辺に環状に設けられたフレームを備え、前記ベース座体と前記フレーム内壁の間に外部のモバイル端末を嵌持して位置決めするために用いられる位置決め槽が形成され、前記位置決めフレームとモバイル端末の接触面に緩衝パッドが設けられ、前記位置決めフレームのモバイル端末表面に対する滑り止め機能を高めたことを特徴とする、請求項１または６のいずれか一項に記載のハンドヘルド型モバイル端末の固定装置。
【請求項１７】
前記位置決めフレームは、ベース座体と、前記ベース座体の一側に配置された固定枠、及び前記ベース座体の他方の一側に可動的に配置された可動枠を備え、前記可動枠を前記ベース座体の他方の一側に可動的に配置する方式は、ガイド棒、軌道、刻み、歯車の摺動、引っ張り、回動を含み、前記可動枠と固定枠間を前記ちょうどモバイル端末が入るように調整したとき、挟み込み、ネジ止め、粘力、油圧、表面張力、加圧、バネの引っ張り力、吸引力、トルクを含む方式で、前記可動枠を前記固定枠の方向に駆動して移動させ、前記モバイル端末を挟持し、さまざまな寸法のモバイル端末を前記可動枠と前記固定枠の間にしっかりと挟持すると共に、前記位置決めフレームとモバイル端末の接触面に緩衝パッドが設けられ、前記位置決めフレームのモバイル端末表面に対する滑り止め機能を高め、前記位置決めフレームのベース座体または前記緩衝パッド上に前記モバイル端末を吸着して保持できる少なくとも１つの吸盤が設置され、前記モバイル端末をよりしっかりと保持できるように前記位置決めフレームとモバイル端末の密着力を増加し、前記吸盤が一体成型、粘着、嵌入または挿入の方式で前記ベース座体または緩衝パッド上に設置されることを特徴とする、請求項１または６のいずれか一項に記載のハンドヘルド型モバイル端末の固定装置。
【考案の詳細な説明】
【技術分野】
【０００１】
本考案はハンドヘルド型モバイル端末の固定装置に関し、特に、携帯可能で、携帯電話、ゲーム機、電子ブックリーダー、ＧＰＳナビゲーションシステム、タブレットコンピュータ等のモバイル端末を挟持して保持することができる、可動式固定装置に関する。
【背景技術】
【０００２】
近年、携帯電話やタブレットコンピュータ等のハンドヘルド型モバイル端末が非常に普及しており、ほぼ誰もが１台保有している。これらモバイル端末のサイズは小型軽量化が進んでいるが、長時間手に持っていると普段運動不足の人々にとっては徐々に筋肉に負担が蓄積される。
【０００３】
小型のモバイル端末に使用するために別途固定器材が設計されているが、迅速に固定し、便利に取り外すことができ、かつ体積が小さく軽量で、携帯しやすいようにフレームを容易に収縮させることができる効果を備えたものはない。
【０００４】
市販のモバイル端末の固定装置はいずれも湾曲可能な軟質の管体にクリップを組み合わせて卓上に設置するようになっている。しかし、モバイル端末を卓上に懸吊することはできるものの、全体構造が非常に軟弱で、懸吊時間が長すぎて変形し、下垂して湾曲することがよくある。このため、使用者がモニターをタッチして選択の操作をしたいとき、片手でモバイル端末の背面を支えなければならず、従来のモバイル端末の固定装置はタッチによる選択や可動操作に適していない。
【０００５】
また、従来の固定装置は平面の場合のみクリップで挟んで設置することに適しているが、屋外で例えば電車や地下鉄、バスなどには乗客が握持するための垂直の円形の柱しかなく、これらの場合クリップでは効果的に固定できないため、上述の問題に対する改善が必要である。
【考案の概要】
【考案が解決しようとする課題】
【０００６】
本考案の目的は、携帯が可能で、携帯電話、ゲーム機、電子ブックリーダー、ＧＰＳナビゲーションシステム、タブレットコンピュータ等のモバイル端末を挟持して懸持できる可動式固定装置であって、主に、モバイル端末を懸吊できるだけでなく、適切な全体的剛性を提供し、使用者が懸吊されたモバイル端末上をタッチして操作したり、ジェスチャを使用して手を滑らせたりしてもモバイル端末の固定位置に影響せず、また滑らかな直立した棒を挟んで容易に設置でき、使用者が公共交通機関を利用するとき、モバイル端末を交通機関上に懸吊できると同時に、全体的剛性を維持して、使用者が懸吊したモバイル端末上をタッチして操作したり、ジェスチャを使用して手を滑らせたりすることができ、これにより筋肉の疲労を低減し、肩や首が過度に使用されてコリや痛みを生じることを防止できる、ハンドヘルド型モバイル端末の固定装置を提供することにある。
【課題を解決するための手段】
【０００７】
上述の目的を達成するため、本願の第１考案は、延伸棒と、前記延伸棒の一端に設置され、外部のモバイル端末を嵌持して位置決めするために用いられる位置決めフレームと、前記延伸棒の他端に設置され、平面または棒体を含む外部物品上に延伸棒と位置決めフレームを固定し、モバイル端末を懸持するために用いられる固定部材と、前記固定部材上に設置され、固定部材と外部物品を締め付けるために用いられる螺合固定ユニットを含み、前記延伸棒が垂直または水平方向に剛性を備え、固定部材が水平または垂直の平面または棒体を挟み込み、使用者がモバイル端末をタッチ制御できるようにし、モバイル端末が使用者によってタッチされるとき、延伸棒と螺合固定ユニットにより外部物品上に強制的に位置決めされ、ぐらつきやずれが生じないようにモバイル端末が保持される、ハンドヘルド型モバイル端末の固定装置を提供する。
【０００８】
本願の第２考案は、前記位置決めフレームが第２連結部を備え、前記延伸棒が一端に前記位置決めフレームの第２連結部と結合可能な第２接続部を備えたことを特徴とする、前記第１考案のハンドヘルド型モバイル端末の固定装置を提供する。
【０００９】
本願の第３考案は、前記固定部材が第１連結部を備え、前記延伸棒が他端に前記固定部材の第１連結部と結合可能な第１接続部を備えたことを特徴とする、前記第１考案のハンドヘルド型モバイル端末の固定装置を提供する。
【００１０】
本願の第４考案は、前記固定部材が一端に接合部材と、該接合部材に対して取り付け及び取り外しができ、かつ外部物品上に位置決め可能な接合座体を備え、前記固定部材が前記接合部材を介して外部物品上の接合座体に組み込まれ、前記螺合固定ユニットが前記接合部材と前記接合座体間に螺合されるボルトを含み、前記接合部材が他端に第１連結部を備え、前記延伸棒が他端に前記接合部材の第１連結部と結合可能な第１接続部を備えたことを特徴とする、前記第１考案のハンドヘルド型モバイル端末の固定装置を提供する。
【００１１】
本願の第５考案は、前記固定部材が外部物品上に設けられ、かつ前記固定部材が第１連結部を備え、前記延伸棒が他端に前記固定部材の第１連結部と結合可能な第１接続部を備え、前記螺合固定ユニットが前記第１連結部であり、かつ前記第１連結部がネジ孔であることを特徴とする、前記第１考案のハンドヘルド型モバイル端末の固定装置を提供する。
【００１２】
本願の第６考案は、ハンドヘルド型モバイル端末の固定装置であって、外部のモバイル端末を嵌持して位置決めするために用いる位置決めフレームと、前記位置決めフレーム上に設置され、平面または棒体を含む外部物品上に前記位置決めフレームを固定して前記モバイル端末を懸持するために用いる固定部材と、前記固定部材上に設置され、固定部材と外部物品を締め付けるために用いられる螺合固定ユニットと、を含み、前記固定部材が水平または垂直の平面または棒体を挟み込み、使用者が前記モバイル端末をタッチ制御できるようにし、前記モバイル端末が使用者によってタッチされるとき、前記螺合固定ユニットにより前記外部物品上に強制的に位置決めされ、ぐらつきやずれが生じないように前記モバイル端末が保持されることを特徴とする、ハンドヘルド型モバイル端末の固定装置を提供する。
【００１３】
本願の第７考案は、前記固定部材が第１連結部を備え、前記位置決めフレームが前記固定部材の第１連結部に結合可能な第２連結部を備えたことを特徴とする、前記第６考案のハンドヘルド型モバイル端末の固定装置を提供する。
【００１４】
本願の第８考案は、前記固定部材が少なくとも１つの可動はさみ部を備えたことを特徴とする、前記第１考案のハンドヘルド型モバイル端末の固定装置を提供する。
【００１５】
本願の第９考案は、前記はさみ部が２つの相互に対称のはさみ部を含み、前記螺合固定ユニットが、前記はさみ部間に螺合されるボルトを含み、前記ボルトで片側からはさみ部の間の開き具合を調整し、外部物品を挟持したり、解放したりすることができ、かつ前記ボルトの一端に該ボルトを回動させるために利用する調整ヘッドが設置され、前記螺合固定ユニットが前記はさみ部上にそれぞれ枢着された回転軸を含み、各回転軸上にネジ孔が設けられ、前記ボルトが前記はさみ部の回転軸のネジ孔間に螺合されることを特徴とする、前記第８考案のハンドヘルド型モバイル端末の固定装置を提供する。
【００１６】
本願の第１０考案は、前記はさみ部が２つの相互に対称なはさみ部を含み、前記固定部材が前記はさみ部外囲まで延伸されたカバーを備え、前記螺合固定ユニットが各はさみ部と相隣するカバー間にそれぞれ螺着されるボルトを含み、前記２本のボルトを利用して両側から前記はさみ部間の開き具合を調整し、外部物品を挟持したり、解放したりすることができ、かつ前記ボルトが一端にボルトを回動させるために利用する調整ヘッドを備え、前記螺合固定ユニットが前記はさみ部上にそれぞれ枢設された回転軸を含み、各回転軸上にネジ孔がそれぞれ設けられ、前記カバー上にそれぞれ前記回転軸に近接した２つのネジ孔が設けられ、前記各はさみ部の回転軸のネジ孔と、相隣するカバーのネジ孔間にそれぞれ前記ボルトが螺着されたことを特徴とする、前記第８考案のハンドヘルド型モバイル端末の固定装置を提供する。
【００１７】
本願の第１１考案は、前記固定部材が少なくとも２つの相互に対称なはさみ部を含み、前記螺合固定ユニットが、前記固定部材上に設置された前記はさみ部の間の開き具合を駆動して調整できる駆動装置を含むことを特徴とする、前記第８考案のハンドヘルド型モバイル端末の固定装置を提供する。
【００１８】
本願の第１２考案は、前記はさみ部上が、前記はさみ部と外部物品間の緊密度と摩擦力を増加するために用いる緩衝パッドで被覆されたことを特徴とする、前記第８考案のハンドヘルド型モバイル端末の固定装置を提供する。
【００１９】
本願の第１３考案は、前記はさみ部上にリリース装置が設置され、前記リリース装置が前記固定部材上に枢着されたベース部と、前記ベース部上の前記固定部材から離れた位置に枢着された爪部を含み、前記ベース部と爪部が相対する接合面上にそれぞれ位置決め孔が設けられ、前記位置決め孔間に位置決め棒が穿設され、前記ベース部と爪部を結合して固定したことを特徴とする、前記第８考案のハンドヘルド型モバイル端末の固定装置を提供する。
【００２０】
本願の第１４考案は、前記延伸棒が多段式の伸縮機能を備え、延伸棒の使用時の全体長さを増加可能としたことを特徴とする、前記第１考案のハンドヘルド型モバイル端末の固定装置を提供する。
【００２１】
本願の第１５考案は、前記延伸棒が複数であり、各延伸棒間が角度調整可能な可動ジョイントで相互に連結され、前記延伸棒を相互に折り畳み可能として、多段式の展開機能を具備させ、延伸棒の使用時の全体長さを増加可能としたことを特徴とする、前記第１考案のハンドヘルド型モバイル端末の固定装置を提供する。
【００２２】
本願の第１６考案は、前記位置決めフレームが幅の大きさを調整できる伸縮カバー体であり、前記カバー体がベース座体と、前記ベース座体周辺に環状に設けられたフレームを備え、前記ベース座体と前記フレーム内壁の間に外部のモバイル端末を嵌持して位置決めするために用いられる位置決め槽が形成され、前記位置決めフレームとモバイル端末の接触面に緩衝パッドが設けられ、前記位置決めフレームのモバイル端末表面に対する滑り止め機能を高めたことを特徴とする、前記第１考案または第６考案のハンドヘルド型モバイル端末の固定装置を提供する。
【００２３】
本願の第１７考案は、前記位置決めフレームは、ベース座体と、前記ベース座体の一側に配置された固定枠、及び前記ベース座体の他方の一側に可動的に配置された可動枠を備え、前記可動枠を前記ベース座体の他方の一側に可動的に配置する方式は、ガイド棒、軌道、刻み、歯車の摺動、引っ張り、回動を含み、前記可動枠と固定枠間を前記ちょうどモバイル端末が入るように調整したとき、挟み込み、ネジ止め、粘力、油圧、表面張力、加圧、バネの引っ張り力、吸引力、トルクを含む方式で、前記可動枠を前記固定枠の方向に駆動して移動させ、前記モバイル端末を挟持し、さまざまな寸法のモバイル端末を前記可動枠と前記固定枠の間にしっかりと挟持すると共に、前記位置決めフレームとモバイル端末の接触面に緩衝パッドが設けられ、前記位置決めフレームのモバイル端末表面に対する滑り止め機能を高め、前記位置決めフレームのベース座体または前記緩衝パッド上に前記モバイル端末を吸着して保持できる少なくとも１つの吸盤が設置され、前記モバイル端末をよりしっかりと保持できるように前記位置決めフレームとモバイル端末の密着力を増加し、前記吸盤が一体成型、粘着、嵌入または挿入の方式で前記ベース座体または緩衝パッド上に設置されることを特徴とする、前記第１考案または第６考案のハンドヘルド型モバイル端末の固定装置を提供する。
【考案の効果】
【００２４】
本考案は、携帯が可能で、携帯電話、ゲーム機、電子ブックリーダー、ＧＰＳナビゲーションシステム、タブレットコンピュータ等のモバイル端末を挟持して懸持できる可動式固定装置であって、主に、モバイル端末を懸吊できるだけでなく、適切な全体的剛性を提供し、使用者が懸吊されたモバイル端末上をタッチして操作したり、ジェスチャを使用して手を滑らせたりしてもモバイル端末の固定位置に影響しない。
また滑らかな直立した棒を挟んで容易に設置でき、使用者が公共交通機関を利用するとき、モバイル端末を交通機関上に懸吊できると同時に、全体的剛性を維持して、使用者が懸吊したモバイル端末上をタッチして操作したり、ジェスチャを使用して手を滑らせたりすることができ、これにより筋肉の疲労を低減し、肩や首が過度に使用されてコリや痛みを生じることを防止できる効果を備える。
【図面の簡単な説明】
【００２５】
【図１】本考案の実施例１の正面図である。
【図２】図１の上面図である。
【図３】図１の側面図である。
【図４】本考案の追加実施形態の正面図である。
【図５】本考案の別の追加実施形態の正面図である。
【図６】図５の上面図である。
【図７】図５の使用状態を示す部分拡大図である。
【図８】本考案のさらに別の追加実施形態の正面図である。
【図９】本考案の使用状態を示す図である。
【図１０】本考案の別の使用状態を示す図である。
【図１１】本考案の位置決めフレームの追加実施形態の立体図である。
【図１２】本考案の実施例２の正面図である。
【図１３】図１２の部分拡大断面図である。
【図１４】本考案の実施例３の正面図である。
【図１５】本考案の実施例４の正面図である。
【考案を実施するための形態】
【００２６】
以下、図面を参照して、本考案の実施例について説明する。
【実施例１】
【００２７】
図１から図１０に本考案の実施例１を示す。本考案のハンドヘルド型モバイル端末の固定装置は、延伸棒１と、前記延伸棒１の一端に設置され、携帯電話、ゲーム機、電子ブックリーダー、ＧＰＳナビゲーションシステムまたはタブレットコンピュータ等の外部のモバイル端末９を嵌持して位置決めするために用いられる位置決めフレーム２と、前記延伸棒１の他端に設置され、平面または棒体を含む外部物品上に延伸棒１と位置決めフレーム２を固定し、モバイル端末９を懸持するために用いられる固定部材３と、前記固定部材３上に設置され、固定部材３と外部物品を締め付けるために用いられる螺合固定ユニット６を含む。
前記延伸棒１が垂直または水平方向に剛性を備え、固定部材３が水平または垂直の平面、あるいは円柱形または細長い形状の棒、竿、棒状の支持フレーム構造等の外部物品を迅速に挟み込んで外部物品に固定することができ、使用者がモバイル端末９をタッチ制御できるようにして、モバイル端末９が使用者によってタッチされるとき、延伸棒１と螺合固定ユニット６により外部物品上に強制的に位置決めされ、ぐらつきやずれが生じないようにモバイル端末９が保持される。
【００２８】
前記棒体は、公共交通機関の車両内及び周辺の人が握持するために用いることができる水平ポール７１と垂直ポール７２としてもよい。
【００２９】
固定部材３は少なくとも１つの可動はさみ部３１、３２を備えている。
【００３０】
固定部材３は少なくとも２つの相互に対称の可動はさみ部３１、３２を備え、螺合固定ユニット６は、各組のはさみ部３１、３２上にそれぞれ枢設された回転軸６１、６２を含み、各回転軸６１、６２上にネジ孔６１１、６２１が設けられ、螺合固定ユニット６はさらに各はさみ部３１、３２の回転軸６１、６２のネジ孔６１１、６２１間に螺着されたボルト６３を含み、ボルト６３で片側からはさみ部３１、３２の間の開き具合を調整し、外部物品を挟持したり、解放したりすることができ、かつボルト６３の一端に使用者がボルト６３を回動させるために利用する調整ヘッド６３１が設置される。
【００３１】
または、固定部材３ａは少なくとも２つの相互に対称な可動はさみ部３１ａ、３２ａと、はさみ部３１ａ、３２ａ外囲まで延伸されたカバー３８ａを含み、前記螺合固定ユニット６ａが各組のはさみ部３１ａ、３２ａ上にそれぞれ枢設された回転軸６１ａ、６２ａを含み、各回転軸６１ａ、６２ａ上にネジ孔６１１ａ、６２１ａがそれぞれ設けられ、カバー３８ａ上に回転軸６１ａ、６２ａに近接した２つのネジ孔３８１ａ、３８２ａがそれぞれ設けられる。
各はさみ部３１ａ、３２ａの回転軸６１ａ、６２ａのネジ孔６１１ａ、６２１ａと、相隣するカバー３８ａのネジ孔３８１ａ、３８２ａ間にそれぞれボルト６３ａ、６４ａが螺着され、２本のボルト６３ａ、６４ａを利用して両側からはさみ部３１ａ、３２ａ間の開き具合を調整し、外部物品を挟持したり、解放したりすることができ、かつボルト６３ａ、６４ａの一端に使用者がボルト６３ａ、６４ａを回動させるために利用する調整ヘッド６３１ａ、６４１ａが設置される。
【００３２】
或いは、固定部材３ｃは少なくとも２つの相互に対称な可動はさみ部３１ｃ、３２ｃを含み、かつ螺合固定ユニット６ｃが固定部材３ｃ上に設置されたはさみ部３１ｃ、３２ｃの間の開き具合を駆動して調整できる駆動装置６５ｃを含み、駆動装置６５ｃはモーターとすることができる。
【００３３】
前記２つのはさみ部３１、３１ａ、３１ｃ、３２、３２ａ、３２ｃは複数組としてもよく、任意の２つ以上の角度の方向から外部物品を挟持して固定するために用いられ、かつ固定部材３、３ａ、３ｂ、３ｃのはさみ部３１、３１ａ、３１ｂ、３１ｃ、３２、３２ａ、３２ｂ、３２ｃ外囲または内側に緩衝パッド４１、４２を設置して被覆し、はさみ部３１、３１ａ、３１ｂ、３２、３２ａ、３２ｂと外部物品の間の緊密度と摩擦力を増加してもよい。
【００３４】
固定部材３、３ａ、３ｂ、３ｃは後端部に第１連結部３０、３０ａ、３０ｂ、３０ｃを備える。
延伸棒１、１ａ、１ｂは他端に固定部材３、３ａ、３ｂ、３ｃの第１連結部３０、３０ａ、３０ｂ、３０ｃと連結可能な第１接続部１１、１１ａ、１１ｂを備える。
第１連結部３０、３０ａ、３０ｂ、３０ｃと第１接続部１１、１１ａ、１１ｂの結合方式は、挿入式、掛止式、嵌入式、包囲式、回動式、枢着式、吸着式、磁性吸着式、ネジによる固定、面ファスナーによる貼付、接着剤による接着または一体成型を含むことができる。
【００３５】
はさみ部３２ｂはリリース装置３２０ｂを備え、リリース装置３２０ｂは、固定部材３ｂ上に枢着されたベース部３２１ｂと、ベース部３２１ｂ上の固定部材３ｂから離れた位置に枢着された爪部３２２ｂを含み、ベース部３２１ｂと爪部３２２ｂが相対する接合面上にそれぞれ位置決め孔３２３ｂ、３２４ｂが設けられる。
さらに、位置決め孔３２３ｂ、３２４ｂ間に位置決め棒３２５ｂが穿設され、ベース部３２１ｂと爪部３２２ｂを結合して固定し、固定部材３ｂを急いで公共交通機関の車内及び周辺の人が握持するために用いる水平ポール７１や垂直ポール７２上から取り外す必要があるときは、リリース装置３２０ｂの位置決め棒３２５ｂを抜き取ると、爪部３２２ｂが外側に向かって揺動し、固定部材３ｂが緩むため、リリース装置３２０ｂを開くことができる。
【００３６】
延伸棒１、１ａ、１ｂは単数または複数とすることができ、かつ延伸棒１ｂは管状であり相互に入れ子状に連結され、延伸棒１ｂは多段式の伸縮機能を備えており、延伸棒１ｂの使用時の全体長さを増加できる。
【００３７】
或いは、各延伸棒１ａ間を一個以上の角度調整が可能な可動ジョイント１０ａで相互に連結し、延伸棒１ａを相互に折り畳み可能として、多段式の展開機能を具備させ、延伸棒１ａの使用時の全体長さを増加できる。可動ジョイント１０ａは多角度の角度調整が可能であり、可動ジョイント１０ａは枢接軸または自在継手とすることができる。
【００３８】
延伸棒１、１ａ、１ｂは平時において縮小状態下で便利に携帯できるが、伸ばして展開したとき、長さを人の手で便利に操作できる視線内の範囲に伸ばすことができ、かつ長さと角度の調整により、モバイル端末９の画面を自分で操作がしやすい範囲に調節することができる。
【００３９】
位置決めフレーム２背面には第２連結部２０が設けられ、延伸棒１、１ａ、１ｂの一端に位置決めフレーム２の第２連結部２０と結合可能な第２接続部１２、１２ａ、１２ｂが設けられ、第２連結部２０と第２接続部１２、１２ａ、１２ｂの結合方式は、挿入式、掛止式、嵌入式、包囲式、回動式、枢着式、吸着式、磁性吸着式、ネジによる固定、面ファスナーによる貼付、接着剤による接着または一体成型を含むことができる。
【００４０】
位置決めフレーム２はベース座体２１と、ベース座体２１の一側に設置された固定枠２２、及びベース座体２１の他方の一側に可動的に配置された可動枠２３を備える。
可動枠２３をベース座体２１の他方の一側に可動的に配置する方式は、ガイド棒２４、軌道、刻み、歯車の摺動、引っ張り、回動を含み、可動枠２３と固定枠２２間をちょうどモバイル端末９が入るように調整したとき、挟み込み、ネジ止め、粘力、油圧、表面張力、加圧、バネ２５の引っ張り力、吸引力、トルクを含む方式で、可動枠２３を固定枠２２の方向に駆動して移動させ、モバイル端末９を挟持し、さまざまな寸法のモバイル端末９を可動枠２３と固定枠２２の間にしっかりと挟持することができる。
【００４１】
位置決めフレーム２のベース座体２１内面とモバイル端末９との接触面には緩衝パッド４３を設置して、位置決めフレーム２のモバイル端末９表面に対する滑り止め機能を高める。
【００４２】
位置決めフレーム２の可動枠２３は、ベース座体２１の一側において移動させ、寸法を調整することができ、かつ位置決めフレーム２は第２連結部２０により延伸棒１、１ａ、１ｂを軸として９０度の角度で回動させることができる。
【００４３】
位置決めフレーム２のベース座体２１または緩衝パッド４３上の内側面にモバイル端末９を吸着して保持できる少なくとも１つの吸盤２６を設け、モバイル端末９をよりしっかりと保持できるように位置決めフレーム２とモバイル端末９の密着力を増加する。吸盤２６は一体成型、粘着、嵌入または挿入の方式でベース座体２１内面または緩衝パッド４３上に設置することができる。
【００４４】
または、図１１及び図１２に示すように、位置決めフレーム２ａは幅の大きさを調整できる伸縮カバー体としてもよく、カバー体はベース座体２１ａと、ベース座体２１ａ周辺に環状に設けられた可撓性フレーム２７ａを備え、ベース座体２１ａとフレーム２７ａ内壁の間に外部のモバイル端末９を嵌持して位置決めするために用いる位置決め槽２８ａが形成され、かつ位置決めフレーム２ａのベース座体２１ａ背面に第２連結部２０ａが設けられ、延伸棒１の第２接続部１２と結合するために用いられる。
【００４５】
位置決めフレーム２ａとモバイル端末９の接触面に緩衝パッド４３が設けられ、位置決めフレーム２ａのモバイル端末９表面に対する滑り止め機能を高める。位置決めフレーム２は幅を任意に調整でき、サイズの異なるモバイル端末９を迅速に挟み込み、回動させて視角を調整することができる。
【００４６】
上述の構成により、固定装置は便利に携帯することができ、かつ固定部材３、３ａ、３ｂ、３ｃにより公共交通機関の車両内及び周辺の人が握持するための水平ポール７１と垂直ポール７２上に便利かつ迅速に取り付けることができる。
また、同時に位置決めフレーム２を利用して携帯電話、ゲーム機、電子ブックリーダー、ＧＰＳナビゲーションシステムまたはタブレットコンピュータ等のモバイル端末９を挟持し、取り付け後長距離、短距離の公共交通機関を利用し、同時にモバイル端末９を使用する必要がある場合、長時間手に物を持っている時間を減少することができる。
このように、本考案の固定装置は携帯に便利であり、周辺のポール７１、７２がある場所に対して簡単かつ迅速に取り付けと取り外しを行うことができ、筋肉の疲労を低減すると共に、肩や首の過度の使用による痛みを回避することができる。
【実施例２】
【００４７】
図１２、図１３に本考案の実施例２を示す。上述の実施例１と異なる点を説明する。
【００４８】
固定部材５は一端に接合部材５１と、該接合部材５１に対して取り付け及び取り外しができ、かつ外部物品８上に位置決め可能な接合座体５２を備え、固定部材５は接合部材５１を介して外部物品８上に固定された接合座体５２に組み込まれる。螺合固定ユニット６ｄは接合部材５１と接合座体５２間に螺合されるボルト６３ｄを含み、接合座体５２は螺着、被着、掛止、粘着等の方式で外部物品８上に位置決めされる。
【００４９】
外部物品８はリュック、帽子、ヘルメット、肩ひも、ストラップ、ネクタイ、手提げかばん、スーツケース、マスク、ハンドル、壁、机、椅子等を含み、固定部材５は接合部材５１を介して外部物品８上の接合座体５２に組み込まれる。
【００５０】
接合座体５２は携帯物品の固定器材として作成してもよく、直接人の肩や首、頭部、リュック、帽子、ストラップ上に取り付けて便利に携帯できるようにし、どこへでも容易に携帯できる機能を達成すると共に、共通するサイズに設けた延伸棒１と結合させることができる。
【００５１】
接合部材５１は他端に第１連結部５０を備え、延伸棒１の第１接続部１１は接合部材５１の第１連結部５０と結合でき、第１連結部５０と第１接続部１１の結合方式は、挿入式、掛止式、嵌入式、包囲式、回動式、枢着式、吸着式、磁性吸着式、ネジによる固定、面ファスナーによる貼付、接着剤による接着または一体成型を含み、その他の構成部材の構成と実施方式は上述の実施例１と同じである。
【実施例３】
【００５２】
図１４に本考案の実施例３を示す。上述の実施例１と異なる点を説明する。
【００５３】
固定部材５ａは外部物品８上に設けられ、固定部材５ａは第１連結部５０ａを備え、延伸棒１の他端に固定部材５ａの第１連結部５０ａに結合可能な第１接続部１１が設けられる。
また、螺合固定ユニットは第１連結部５０ａとすることができ、かつ第１連結部５０ａはネジ孔、第１接続部１１はボルトとしてもよく、第１連結部５０ａと第１接続部１１の結合方式は、挿入式、掛止式、嵌入式、包囲式、回動式、枢着式、吸着式、磁性吸着式、ネジによる固定、面ファスナーによる貼付、接着剤による接着または一体成型を含むことができる。
【００５４】
或いは、固定部材５ａは外部物品８そのものの構造としてもよく、かつネジ孔の形態を呈する第１連結部５０ａを外部物品８上に直接形成することもできる。
【実施例４】
【００５５】
図１５に本考案の実施例４を示す。本考案のハンドヘルド型モバイル端末の固定装置は、外部のモバイル端末９を嵌持して位置決めするために用いる位置決めフレーム２と、位置決めフレーム２背面に設置され、位置決めフレーム２を平面または棒体を含む外部物品上に固定し、モバイル端末９を懸持するために用いられる固定部材３と、前記固定部材３上に設置され、固定部材３と外部物品を締め付けるために用いられる螺合固定ユニット６を含む。
【００５６】
前記固定部材３は水平または垂直の平面または棒体を挟み込み、使用者がモバイル端末９をタッチ制御できるようにし、モバイル端末９が使用者によってタッチされるとき、螺合固定ユニット６により外部物品上に強制的に位置決めされ、ぐらつきやずれが生じないようにモバイル端末９が保持される。
【００５７】
固定部材３は第１連結部３０を備え、位置決めフレーム２は背面に固定部材３の第１連結部３０に結合可能な第２連結部２０を備え、第１連結部３０と第２連結部２０の結合方式は、挿入式、掛止式、嵌入式、包囲式、回動式、枢着式、吸着式、磁性吸着式、ネジによる固定、面ファスナーによる貼付、接着剤による接着または一体成型を含むことができる。
【符号の説明】
【００５８】
１、１ａ、１ｂ  延伸棒
１０ａ  關節
１１、１１ａ、１１ｂ  第１接続部
１２、１２ａ、１２ｂ  第２接続部
２、２ａ  位置決めフレーム
２０、２０ａ  第２連結部
２１、２１ａ  ベース座体
２２  固定枠
２３  可動枠
２４  ガイド棒
２５  バネ
２６  吸盤
２７ａ  フレーム
２８ａ  位置決め槽
３、３ａ、３ｂ、３ｃ  固定部材
３０、３０ａ、３０ｂ、３０ｃ、５０、５０ａ  第１連結部
３１、３２、３１ａ、３２ａ、３１ｃ、３２ｃ、３１ｂ、３２ｂ  はさみ部
３２１ｂ  ベース部
３２２ｂ  爪部
３２３ｂ、３２４ｂ  位置決め孔
３２５ｂ  位置決め棒
３８１ａ、３８２ａ  ネジ孔
３８ａ  カバー
４１、４２、４３  緩衝パッド
５、５ａ  固定部材
５１  接合部材
５２  接合座体
６、６ａ、６ｃ、６ｄ  螺合固定ユニット
６１、６２、６１ａ、６２ａ  回転軸
６１１、６２１、６１１ａ、６２１ａ  ネジ孔
６３、６３ａ、６４ａ、６３ｄ  ボルト
６３１、６３１ａ、６４１ａ  調整ヘッド
６５ｃ  駆動装置
７１  水平ポール
７２  垂直ポール
８  外部物品
９  モバイル端末
【図１】
0003180900.tif 000003
【図２】
0003180900.tif 000004
【図３】
0003180900.tif 000005
【図４】
0003180900.tif 000006
【図５】
0003180900.tif 000007
【図６】
0003180900.tif 000008
【図７】
0003180900.tif 000009
【図８】
0003180900.tif 000010
【図９】
0003180900.tif 000011
【図１０】
0003180900.tif 000012
【図１１】
0003180900.tif 000013
【図１２】
0003180900.tif 000014
【図１３】
0003180900.tif 000015
【図１４】
0003180900.tif 000016
【図１５】
0003180900.tif 000017